(57)【特許請求の範囲】
【請求項１】
下方が開放された外部ケース側の昇降索を昇降棚に連結して昇降棚を外部ケース内に格納する格納位置に上昇及び食器取出し・収納位置に下降自在に設けた食器乾燥装置の昇降棚であって、昇降棚のスペースを左右に仕切る中縦仕切を設け、中縦仕切と一方の棚側板とにわたって中横網を高さ変更のために掛け替え自在に架設し、中横網の主たる部分の幅を中縦仕切の前後の幅以上とし、中横網の中縦仕切側の端部の幅を主たる部分の幅に比べて小幅にし、中横網の端部の小幅部分を中縦仕切の幅内に位置させて成ることを特徴とする食器乾燥装置の昇降棚。
【請求項２】
中横網の端部の小幅部分の略全幅にわたって形成したフックを中縦仕切の前後の縦フレーム間に設けた横桟に係合して成ることを特徴とする請求項１記載の食器乾燥装置の昇降棚。
【請求項３】
中横網の下方を小皿収納部とし、中縦仕切にて仕切られて中横網とは反対側のスペースを大皿収納部とし、中縦仕切の大皿収納部側にお玉掛けを形成して成ることを特徴とする請求項１記載の食器乾燥装置の昇降棚。
【請求項４】
昇降棚の背部に設けた背網の下端部を前方に曲げて背網の下端を昇降棚の後縁よりも前方に位置させて成ることを特徴とする請求項１記載の食器乾燥装置の昇降棚。
【請求項５】
背網の一側部を前方に約９０°に曲げた曲成部に前後方向の長孔を形成し、背網の他側部に左右方向の長円孔を形成し、昇降棚本体に背網を長孔及び長円孔において前後及び左右位置を調整可能に取付けて成ることを特徴とする請求項１記載の食器乾燥装置の昇降棚。
【請求項６】
昇降棚の側端の底部に立てたまな板を載置する載置網を設け、載置網にまな板が前方に突出するのを阻止する阻止棒を形成して成ることを特徴とする請求項１記載の食器乾燥装置の昇降棚。
【請求項７】
まな板が内方に倒れるのを阻止する倒れ防止具を背網より前方に突出して成ることを特徴とする請求項６記載の食器乾燥装置の昇降棚。
【発明の詳細な説明】
【０００１】
【発明の属する技術分野】
本発明は、食器乾燥装置の昇降棚に関し、詳しくは、スペースを有効に利用することで収納量を増そうとする技術に係るものである。
【０００２】
【従来の技術】
従来、図１８に示すように、下方が開放された外部ケース１側の昇降索を昇降棚２に連結して昇降棚２を外部ケース１内に格納する格納位置に上昇及び食器取出し・収納位置に下降自在に設けた食器乾燥装置の昇降棚２において、昇降棚２のスペースを左右に仕切る中縦仕切４を設け、中縦仕切４と一方の棚側板５とにわたって中横網６’を高さ変更のために掛け替え自在に架設するものである。
【０００３】
このように中横網６’を中縦仕切４と一方の棚側板５とにわたって高さ変更のために掛け替え自在に架設する構成のものにあっては、図１９に示すように、中縦仕切４の前後の縦フレーム４ａ、４ａ間に設けた横桟４ｂに中横網６’の一側端部のフック６ｃを引っ掛け、又、中横網６’の他側端部を棚側板５の支持部５ａに支持させるのである。
【０００４】
【発明が解決しようとする課題】
ところで、中縦仕切４の前後の縦フレーム４ａ、４ａ間に設けた横桟４ｂに中横網６’の一側端部のフック６ｃを引っ掛け、又、中横網６’の他側端部を棚側板５の支持部５ａに支持させる構成においては、中横網６’の幅Ｘは中縦仕切４の幅Ｙよりも小になっていて、中横網６’と背網１０との間及び中横網６’と昇降棚２の前縁部との間に隙間ｄが生じ、中横網６’の載置スペースが小さくなり、収納量が少なくなるという問題があった。
【０００５】
本発明はこのような問題に鑑みてなされたものであり、簡単な改良により、掛け替え自在とした中横網のスペースを大きくすることができ、収納量を増すことができる食器乾燥装置の昇降棚を提供することを課題とするものである。
【０００６】
【課題を解決するための手段】
請求項１においては、下方が開放された外部ケース１側の昇降索３を昇降棚２に連結して昇降棚２を外部ケース１内に格納する格納位置に上昇及び食器取出し・収納位置に下降自在に設けた食器乾燥装置Ａの昇降棚であって、昇降棚２のスペースを左右に仕切る中縦仕切４を設け、中縦仕切４と一方の棚側板５とにわたって中横網６を高さ変更のために掛け替え自在に架設し、中横網６の主たる部分の幅Ｗを中縦仕切４の前後の幅Ｙ以上とし、中横網６の中縦仕切４側の端部の幅Ｗ１を主たる部分の幅Ｗに比べて小幅にし、中横網６の端部の小幅部分６ａを中縦仕切４の幅Ｙ内に位置させていることを特徴とするものである。このような構成によれば、中横網６の側端部の小幅部分６ａにおいて中横網６を中縦仕切４に架設することができ、中横網６の高さ変更を容易におこなうことができながら、小幅部分６ａ以外の主たる部分を広幅部分６ｂにすることができ、中横網６の幅が中縦仕切４の幅Ｙに規制されることがなく、中横網６の幅を広くして載設面積を大きくすることができ、中横網６の収納量を増すことができる。
【０００７】
請求項２においては、中横網６の端部の小幅部分６ａの略全幅にわたって形成したフック６ｃを中縦仕切４の前後の縦フレーム４ａ、４ａ間に設けた横桟４ｂに係合していることを特徴とするものである。このような構成によれば、横桟４ｂに係合したフック６ｃの両端が縦フレーム４ａ、４ａに当接して中横網６の前後移動を阻止することができ、幅を広げた中横網６の位置決めをおこなうことができて外部ケース１側に干渉することを防止することができる。
【０００８】
請求項３においては、中横網６の下方を小皿収納部７とし、中縦仕切４にて仕切られて中横網６とは反対側のスペースを大皿収納部８とし、中縦仕切４の大皿収納部８側にお玉掛け１９を形成していることを特徴とするものである。このような構成によれば、中横網６の下方を小皿収納部７に、中横網６の反対側の高さがあるスペースを大皿収納部８にして、小皿及び大皿を円滑に収納することができ、かつ、中縦仕切４の大皿収納部８側に形成したお玉掛け１９に高さのあるお玉２０を掛けることができ、お玉２０の乾燥を良好におこなうことができる。
【０００９】
請求項４においては、昇降棚２の背部に設けた背網１０の下端部を前方に曲げて背網１０の下端を昇降棚２の後縁よりも前方に位置させていることを特徴とするものである。このような構成によれば、背網１０の下端は昇降棚２の後縁より出ることがなく、昇降棚２の昇降に際して背網１０が外部ケース１側に干渉することがない。
【００１０】
請求項５においては、背網１０の一側部を前方に約９０°に曲げた曲成部４２に前後方向の長孔１２を形成し、背網１０の他側部に左右方向の長円孔１３を形成し、昇降棚本体３０に背網１０を長孔１２及び長円孔１３において前後及び左右位置を調整可能に取付けていることを特徴とするものである。このような構成によれば、昇降棚本体３０に背網１０を取付ける際に、長孔１２及び長円孔１３において前後及び左右の位置を調整することができながら、特に、約９０°に曲げられた曲成部４２が定規の機能を果たし、昇降棚２のあらゆる方向の変形やたわみなどを吸収し調整して、昇降棚２の組み立てを所定通りの寸法及び形におこなうことができ、外部ケース１との干渉を防止することができる。
【００１１】
請求項６においては、昇降棚２の側端の底部に立てたまな板１４を載置する載置網１５を設け、載置網１５にまな板１４が前方に突出するのを阻止する阻止棒１６を形成していることを特徴とするものである。このような構成によれば、まな板１４を昇降棚２の側部の底部に立てて容易に収納することができながら、載置網１５に設けた阻止棒１６においてまな板１４が前方に突出することを確実に防止することができ、安全性を高めることができる。
【００１２】
請求項７においては、まな板１４が内方に倒れるのを阻止する倒れ防止具１７を背網１０より前方に突出していることを特徴とするものである。このような構成によれば、背網１０より突出させた倒れ防止具１７によってまな板１４の内方への倒れを防止することができ、まな板１４の収納を安定化させることができる。
【００１３】
【発明の実施の形態】
以下、本発明の実施の形態を説明する。図１（ａ）は正断面図、同図（ｂ）は説明図である。図２は平断面図である。
【００１４】
食器乾燥装置Ａは、天袋の一部を構成するもので、例えば、調理部と食堂とを仕切る天袋の一部として設置され、その下方にはカウンター(図示せず)が配設されている。以下、詳述する。
【００１５】
外部ケース１は下方が開放された箱型に形成され、開くことができない扉１８を前面に備え、このような外部ケース１の内部上部にはファン２１とヒータ２２を備えた温風供給部２３が設置され、更に、滑車２４と巻き取りドラムと駆動モータを備えた昇降機構部２５が設置され、カバーにて囲繞されて湿気等が入らないように気密が保たれている。カバーには温風吹出し口を形成している。ところで、ファン２１はヒータ２２とは独立して駆動できるようになっていて、ヒータ２２を駆動させる温風供給、又は、ヒータ２２を停止した送（冷）風供給を可能にしていて、食器の温風乾燥、又は送（冷）風による乾燥及び冷却を図るようにしている。このような切換え操作は、操作盤における操作によっておこなわれるようにしている。
【００１６】
昇降機構部２５からの一対の昇降索３であるベルト２７，２７に昇降棚２を係着し、外部ケース１側にガイドレールを、昇降棚２側にガイドローラ３１を設け、駆動モータの駆動によって昇降索３を繰り出し及び巻き取ることによって昇降棚２を昇降することができるようにしている。
【００１７】
昇降棚２は天板２６の両側部に棚側板５、５及びダクト部材３２が連結され、棚側板５、５及びダクト部材３２の下端部間にわたって水受け２８が取付けられ、このような昇降棚本体３０において、棚側板５及びダクト部材３２にわたって背網１０が取付けられ、更に、種々の網棚２９…が設けられている。背網１０及び網棚２９は比較的太い線材を溶接して構成されている。
【００１８】
図５に示すように、中縦仕切４は、前後の縦フレーム４ａ、４ａ間に横桟４ｂ…が適宜の上下間隔を隔てて取付けられ構成されている。図６（ａ）（ｂ）に示すように、水受け２８の前フレーム上に受具３３が固定され、天板２６の前後に取付けたアルミフレーム３４に差込み孔３５が形成されている。しかして、中縦仕切４の縦フレーム４ａをアルミニウム３４の差込み孔３５に挿入して下端部を受具３３にて支持することで中縦仕切４によって昇降棚２のスペースを左右に分けている。
【００１９】
図３は中横網６を示していて、前後の水平フレーム３６、３６の間に線材３７を架設して構成している。水平フレーム３６、３６の棚側板５側が突出し、他端側が下方に折り曲げられて水平フレーム３６、３６の連結部とともにフック６ｃを形成している。一方（正面に向かって右側）の棚側板５にはダクト部材３２が連結されて棚側板５には支持部５ａが、ダクト部材３２には受け３８…が適宜の上下間隔を隔てて形成されている。しかして、中横網６の水平フレーム３６、３６の突出部３６ａ、３６ａを棚側板５の支持部５ａ、５ａ及びダクト部材３２の受け３８、３８に載置し、中横網６のフック６ｃを中縦仕切４の横桟４ｂに係合することで、中横網６を上下高さ変更自在に設けている。
【００２０】
ところで、中横網６の中縦仕切４側において、水平フレーム３６、３６を近接する方向に曲げて中横網６を絞って中縦仕切４側の端部の幅Ｗ１を主たる部分の幅Ｗに比べて小幅にしている。主たる部分は広幅部分６ｂとなっていて、その幅Ｗは中縦仕切４の前後の幅Ｙに略等しいかそれ以上である。
【００２１】
このような構成によれば、中横網６の側端部の小幅部分６ａにおいて中横網６を中縦仕切４に架設することができ、中横網６の高さ変更を容易におこなうことができながら、小幅部分６ａ以外の主たる部分を広幅部分６ｂにすることができ、中横網６の幅が中縦仕切４の幅Ｙに規制されることがなく、中横網６の幅を広くして載設面積を大きくすることができ、中横網６の収納量を増すことができるのである。尚、実施の形態においては、中横網６の両側を絞ったが、片側だけを絞るようにしてもよいものである。
【００２２】
更に、中横網６の端部の小幅部分６ａの略全幅にわたって形成したフック６ｃを中縦仕切４の前後の縦フレーム４ａ、４ａ間に設けた横桟４ｂに係合していることから、横桟４ｂに係合したフック６ｃの両端が縦フレーム４ａ、４ａに当接して中横網６の前後移動を阻止することができ、幅を広げた中横網６の位置決めをおこなうことができて外部ケース１側に干渉することを防止することができるのである。
【００２３】
この場合、中横網６の下方の底網４０の上に皿立て３９を載置して小皿収納部７とし、又、中縦仕切４にて仕切られて中横網６とは反対側のスペースの底網４０の上に皿立て３９を載置して大皿収納部８としている。更に、中縦仕切４の大皿収納部８側にお玉掛け１９を延出している。
【００２４】
このような構成によれば、中横網６の下方を小皿収納部７に、中横網６の反対側の高さがあるスペースを大皿収納部８にして、小皿及び大皿Ｔを円滑に収納することができ、かつ、中縦仕切４の大皿収納部８側に形成したお玉掛け１９に高さのあるお玉２０を掛けることができ、お玉２０の乾燥を良好におこなうことができるものである。
【００２５】
図７乃至図９に示すように、背網１０はフレームを縦横に溶接して構成され、上下の横フレーム４１、４１が左右の縦フレーム４３、４３より延出されている。横フレーム４１の一側端部が前方に約９０°曲げられて曲成部４２が形成されて一方の棚側板５に沿うようにしている。横フレーム４１の他側端部は直線状に延出されてダクト部材３２の背面に沿うようにしている。横フレーム４１の曲成部４２には前後方向の長孔１２を形成している。横フレーム４１の他側部には左右方向の長円孔１３を形成している。
【００２６】
しかして、左右棚側板５、５及びダクト部材３２等を備えた昇降棚本体３０に背網１０を長孔１２及び長円孔１３において前後及び左右位置を調整可能に取付けていることから、昇降棚本体３０に背網１０を取付ける際に、長孔１２及び長円孔１３において前後及び左右の位置を調整することができ、しかも、長孔１２及び長円孔１３は上下左右の４カ所に形成されていて、上下寸法のばらつきを吸収することができ、昇降棚２の組み立てを所定通りの寸法及び形におこなうことができ、組み立て不良を軽減し、外部ケース１側への干渉を防止することができるのである。特に、約９０°に曲げられた曲成部４２が定規の機能を果たし、又、４カ所に形成した融通を吸収する長孔１２、長円孔１３によって昇降棚２のあらゆる方向、つまり、図１４に矢印で示すイ、ロ、ハ、ニ方向の変形やたわみなどを吸収し、調整することができ、外部ケース１との干渉を防止することができるのである。
【００２７】
更に、背網１０の縦フレーム４３の下端部を前方に曲げてあって、背網１０の下端を昇降棚２の後縁よりも前方に位置させていることから、背網１０の下端は昇降棚２の後縁より出ることがなく、昇降棚２の昇降に際して背網１０が外部ケース１側に干渉することがない。つまり、図１３に示すように、昇降棚２の昇降に際して外部ケース１側に設けた気密・水密用のパッキン４４を傷つけることがないものである。
【００２８】
図１６はまな板１４を載置する載置網１５を示し、線材を溶接して構成され、水受け２８の正面に向かって左側部の上に置かれて位置決め具４５にて位置決めされるものである。具体的には、左右のフレーム４６、４６を略Ｕ字状の載置フレーム４７…にて連結し、前端部に抜止め用の阻止棒１６を設けて横長に載置したまな板１４が前方に抜出るのを防止して安全性を高めている。
【００２９】
図９に示す背網１０には前方に倒れ防止具１７を突出して、まな板１４の内方（右方）への倒れを防止してまな板１４の収納を安定化させている。符号４８は布巾掛けである。
【００３０】
図１５に示すように、まな板１４は昇降棚２の正面に向かって左端に収納し、外部ケース１の吹出し口５２からの気流に対してまな板１４が堰にならないようにして昇降棚２の内部の温度分布が均一に、風がスムーズに流れて乾燥性能を向上させることができるものである。
【００３１】
又、まな板１４は庫外への排出口５０の更に側端部に収納するようにすることから、まな板１４の平滑面で気流を乱すようなことがなく、抵抗が少なくスムーズな排気をおこない、まな板１４に対する風量も含めて乾燥風量を増すことができ、結果として、収納している食器を早く乾燥することができる。
【００３２】
更に、まな板１４を端に収納することで、収納スペースを充分に残すことができ、大きな食器、鍋やフライパンなどを収納することができる。
【００３３】
【発明の効果】
請求項１においては、下方が開放された外部ケース側の昇降索を昇降棚に連結して昇降棚を外部ケース内に格納する格納位置に上昇及び食器取出し・収納位置に下降自在に設けた食器乾燥装置の昇降棚であって、昇降棚のスペースを左右に仕切る中縦仕切を設け、中縦仕切と一方の棚側板とにわたって中横網を高さ変更のために掛け替え自在に架設し、中横網の主たる部分の幅を中縦仕切の前後の幅以上とし、中横網の中縦仕切側の端部の幅を主たる部分の幅に比べて小幅にし、中横網の端部の小幅部分を中縦仕切の幅内に位置させているから、中横網の側端部の小幅部分において中横網を中縦仕切に架設することができ、中横網の高さ変更を容易におこなうことができながら、小幅部分以外の主たる部分を広幅部分にすることができ、中横網の幅が中縦仕切の幅に規制されることがなく、中横網の幅を広くして載設面積を大きくすることができ、中横網の収納量を増すことができるという利点がある。
【００３４】
請求項２においては、請求項１の構成に加えて、中横網の端部の小幅部分の略全幅にわたって形成したフックを中縦仕切の前後の縦フレーム間に設けた横桟に係合しているから、請求項１の効果に加えて、横桟に係合したフックの両端が縦フレームに当接して中横網の前後移動を阻止することができ、幅を広げた中横網の位置決めをおこなうことができて外部ケース側に干渉することを防止することができるという利点がある。
【００３５】
請求項３においては、請求項１の構成に加えて、中横網の下方を小皿収納部とし、中縦仕切にて仕切られて中横網とは反対側のスペースを大皿収納部とし、中縦仕切の大皿収納部側にお玉掛けを形成しているから、請求項１の効果に加えて、中横網の下方を小皿収納部に、中横網の反対側の高さがあるスペースを大皿収納部にして、小皿及び大皿を円滑に収納することができ、かつ、中縦仕切の大皿収納部側に形成したお玉掛けに高さのあるお玉を掛けることができ、お玉の乾燥を良好におこなうことができるという利点がある。
【００３６】
請求項４においては、請求項１の構成に加えて、昇降棚の背部に設けた背網の下端部を前方に曲げて背網の下端を昇降棚の後縁よりも前方に位置させているから、請求項１の効果に加えて、背網の下端は昇降棚の後縁より出ることがなく、昇降棚の昇降に際して背網が外部ケース側に干渉することがないという利点がある。
【００３７】
請求項５においては、請求項１の構成に加えて、背網の一側部を前方に約９０°に曲げた曲成部に前後方向の長孔を形成し、背網の他側部に左右方向の長円孔を形成し、昇降棚本体に背網を長孔及び長円孔において前後及び左右位置を調整可能に取付けているから、請求項１の効果に加えて、昇降棚本体に背網を取付ける際に、長孔及び長円孔において前後及び左右の位置を調整することができながら、特に、約９０°に曲げられた曲成部が定規の機能を果たし、昇降棚のあらゆる方向の変形やたわみなどを吸収し調整して、昇降棚の組み立てを所定通りの寸法及び形におこなうことができ、外部ケースとの干渉を防止することができるという利点がある。
【００３８】
請求項６においては、請求項１の構成に加えて、昇降棚の側端の底部に立てたまな板を載置する載置網を設け、載置網にまな板が前方に突出するのを阻止する阻止棒を形成しているから、請求項１の効果に加えて、まな板を昇降棚の側部の底部に立てて容易に収納することができながら、載置網に設けた阻止棒においてまな板が前方に突出することを確実に防止することができ、安全性を高めることができるという利点がある。
【００３９】
請求項７においては、請求項６の構成に加えて、まな板が内方に倒れるのを阻止する倒れ防止具を背網より前方に突出しているから、請求項６の効果に加えて、背網より突出させた倒れ防止具によってまな板の内方への倒れを防止することができ、まな板の収納を安定化させることができるという利点がある。
【図面の簡単な説明】
【図１】本発明の実施の一形態を示し、（ａ）は正断面図、（ｂ）は説明図である。
【図２】同上の平断面図である。
【図３】同上の中横網を示し、（ａ）は平面図、（ｂ）は正面図、（ｃ）は側面図である。
【図４】同上の棚側板及びダクト部材を示す側面図である。
【図５】同上の中縦仕切を示し、（ａ）は側面図、（ｂ）は平面図、（ｃ）は正面図である。
【図６】（ａ）（ｂ）は同上の中縦仕切の取付けを示す部分斜視図である。
【図７】（ａ）は同上の背網の正面図、（ｂ）は部分側面図である。
【図８】同上の背網の側面図である。
【図９】同上の背網の平面図である。
【図１０】同上の背網の取付け状態を示す斜視図である。
【図１１】同上の背網の取付け状態を示す斜視図である。
【図１２】同上の背網の取付け状態を示す斜視図である。
【図１３】同上の背網の下部を示す概略断面図である。
【図１４】同上の作用を示す説明図である。
【図１５】同上の説明図である。
【図１６】同上のまな板の載置部を示し、（ａ）は平面図、（ｂ）は側面図、（ｃ）は正面図である。
【図１７】同上の取付け状態を示す斜視図である。
【図１８】従来例を示す平断面図である。
【図１９】同上の正断面図である。
【符号の説明】
１    外部ケース
２    昇降棚
３    昇降索
４    中縦仕切
５    棚側板
６    中横網
６ａ  小幅部分
【図１】
0003736363.tif 000002
【図２】
0003736363.tif 000003
【図３】
0003736363.tif 000004
【図４】
0003736363.tif 000005
【図５】
0003736363.tif 000006
【図６】
0003736363.tif 000007
【図７】
0003736363.tif 000008
【図８】
0003736363.tif 000009
【図９】
0003736363.tif 000010
【図１０】
0003736363.tif 000011
【図１１】
0003736363.tif 000012
【図１２】
0003736363.tif 000013
【図１３】
0003736363.tif 000014
【図１４】
0003736363.tif 000015
【図１５】
0003736363.tif 000016
【図１６】
0003736363.tif 000017
【図１７】
0003736363.tif 000018
【図１８】
0003736363.tif 000019
【図１９】
0003736363.tif 000020